(57)【要約】      （修正有）【課題】表示装置用の照明装置において、部品点数を増加させずに冷陰極管の点灯性を向上させることと、この照明装置を備えた液晶表示装置を提供することを目的とする。【解決手段】表示装置の照明に用いられる照明装置１０は、複数の冷陰極管２ａ，２ｂと、冷陰極管２ａ，２ｂの光を取り込み面状光として出射する導光板１とを備える。複数の冷陰極管２ａ，２ｂのうち、少なくとも一本の冷陰極管の内径を、他の冷陰極管の内径よりも大きくすることにより、内径の大きい冷陰極管を先に点灯させ、他の冷陰極管が点灯し易くする。【選択図】図４
2008021557.tif 000002
【特許請求の範囲】
【請求項１】
表示装置の照明に用いられる照明装置であって、
複数の冷陰極管と、前記冷陰極管の光を取り込み面状光として出射する導光体とを備え、
前記複数の冷陰極管のうち、少なくとも一本の冷陰極管の内径が、他の冷陰極管の内径よりも大きいことを特徴とする照明装置。
【請求項２】
三本以上の冷陰極管を備え、前記冷陰極管のうち一本の内径が他の冷陰極管の内径よりも大きく、前記他の冷陰極管の内径が全て等しい、請求項１に記載の照明装置。
【請求項３】
前記複数の冷陰極管のうち、内径が大きい冷陰極管は、他の冷陰極管よりも０．２ｍｍ以上大きい内径を有する、請求項１または２に記載の照明装置。
【請求項４】
前記複数の冷陰極管は、前記導光体の少なくとも一つの側面に沿って配置されている、請求項１〜３のいずれか一項に記載の照明装置。
【請求項５】
前記複数の冷陰極管は、前記導光体において前記面状光の出射面に対向する面の下方に配置されている、請求項１〜３のいずれか一項に記載の照明装置。
【請求項６】
請求項１〜５のいずれかに記載の照明装置を備えた液晶表示装置。
【発明の詳細な説明】
【技術分野】
【０００１】
本発明は、表示装置用の照明装置に関し、特に、冷陰極管を光源として用いる照明装置と、この照明装置を備えた液晶表示装置に関する。
【背景技術】
【０００２】
近年、在来のＣＲＴ（Cathode Ray Tube）装置に比べて薄型、軽量などの特長を有する液晶表示装置が、テレビ受像機、コンピュータ用ディスプレイ、携帯電話等の携帯型電子機器のディスプレイ等に幅広く利用されている。液晶表示装置は、表示媒体である液晶そのものは発光しないので、照明装置（バックライト装置またはフロントライト装置）を備えている。つまり、液晶表示装置は、照明装置からの光に対して液晶パネルがシャッターの役割を果たすことで、所望画像を表示する仕組みになっている。
【０００３】
液晶表示装置用の照明装置は、液晶パネルに対する光源の配置の仕方によって、エッジライト型と直下型とに大別される。エッジライト型の照明装置は、導光体の側面から光源光を入射し、導光体内部で伝搬された光を導光体の主面（出射面）から面状光として出射する。エッジライト型の照明装置は、光源が側面に設けられていることから薄型化が可能であるので、コンピュータ用ディスプレイや、携帯電話等の携帯型電子機器用ディスプレイ等の、いわゆる中小型の液晶表示装置に適している。
【０００４】
一方、直下型の照明装置は、導光体の出射面と対向する面の下方、すなわち導光体において液晶パネルとは反対側、に光源を配置した構成である。直下型の照明装置は、多数の光源を設けることが可能であるので、高輝度が得られやすく、大型化にも適している。このため、およそ２０インチ以上の液晶パネルを備えた大型タイプの液晶表示装置では、エッジライト型よりも高輝度、大型化を図り易い直下型の照明装置が一般的に使用されている。
【０００５】
従来、液晶表示装置用の照明装置の光源としては、冷陰極管が広く用いられている。冷陰極管には、不活性ガスと微量の水銀とが封入されている。冷陰極管は、フィラメントを加熱して熱電子放出を起こさせて点灯する熱陰極管とは異なり、管両端の電極部に高電圧を印加して初期電子を飛び出させることによって点灯する。つまり、冷陰極管は、初期電子が水銀を励起して紫外線を放出することにより、管内部に塗布された蛍光体が発光して点灯する。冷陰極管を点灯させるために必要な電圧は、冷陰極管の長さや内径だけでなく、周囲温度、または周囲照度等によっても変化する。これは、例えば周囲照度が高い場合は、外部光が放電空間内の物質にエネルギーを与えて、光電子を初期電子として放出するためであると考えられている。
【０００６】
従って、暗黒（暗室）中や寒冷地等では冷陰極管が点灯しにくくなることがあるという問題があった。この問題を解決するために、例えば特許文献１等では、液晶表示装置のバックライトが駆動されても点灯しない場合は、補助光源として設けられたタングステンランプを点灯させ、このタングステンランプの光でバックライトを励起する構成が開示されている。
【特許文献１】特開平４−６５２２号公報
【発明の開示】
【発明が解決しようとする課題】
【０００７】
しかしながら、上述のように補助光源を設けると、部品点数が増えて装置の小型化が図れないことに加え、部品コストがかかるという問題がある。
【０００８】
従って、本発明は、表示装置用の照明装置において、部品点数を増加させずに冷陰極管の点灯性を向上させることと、このような照明装置を備えた液晶表示装置を提供することを目的とする。
【課題を解決するための手段】
【０００９】
上記の目的を達成するために、本発明にかかる照明装置は、表示装置の照明に用いられる照明装置であって、複数の冷陰極管と、前記冷陰極管の光を取り込み面状光として出射する導光体とを備え、前記複数の冷陰極管のうち、少なくとも一本の冷陰極管の内径が、他の冷陰極管の内径よりも大きいことを特徴とする。
【００１０】
冷陰極管は、ランプ内径が大きいほど、点灯開始に必要な電圧が低い。従って、複数の冷陰極管のうち、少なくとも一本の冷陰極管の内径を、他の冷陰極管の内径よりも大きくすることにより、内径が大きい冷陰極管が最初に点灯する。その後、最初に点灯した冷陰極管から与えられる光エネルギーにより、他の冷陰極管の放電空間内で初期電子が放出され易くなるので、他の冷陰極管の点灯性が向上する。つまり、ランプ内径が大きい冷陰極管が先に点灯することにより、それぞれの冷陰極管が単独で始動される場合よりも低い電圧でも確実に点灯可能となる。これにより、点灯遅れや不点灯といった不具合のない照明装置を提供できる。また、従来のように、補助光源を用いないので、部品点数の増加による照明装置の大型化やコスト増を回避できる。
【００１１】
本発明にかかる照明装置は、三本以上の冷陰極管を備え、前記冷陰極管のうち一本の内径が他の冷陰極管の内径よりも大きく、前記他の冷陰極管の内径が全て等しいことが好ましい。冷陰極管は、ランプ内径が小さいほど発光効率が高い。従って、点灯性と発光効率とを両立させるためには、三本以上の冷陰極管のうち一本だけの内径を他よりも大きくし、その他の冷陰極管の内径は全て等しくすることが最も好ましい。
【００１２】
本発明にかかる照明装置において、前記複数の冷陰極管のうち、内径が大きい冷陰極管は、他の冷陰極管よりも０．２ｍｍ以上大きい内径を有することが好ましい。内径差が０．２ｍｍ以上であれば、点灯性の向上効果が認められるからである。
【００１３】
本発明にかかる照明装置は、前記複数の冷陰極管が前記導光体の少なくとも一つの側面に沿って配置された、いわゆるエッジライト型の照明装置でも良いし、前記複数の冷陰極管が前記導光体において前記面状光の出射面に対向する面の下方に配置された、いわゆる直下型の照明装置でも良い。
【００１４】
また、上記の目的を達成するために、本発明にかかる液晶表示装置は、上述の本発明にかかる照明装置を備えたことを特徴とする。これにより、電源投入後すみやかに明るい画像が表示される液晶表示装置を実現することができる。
【発明の効果】
【００１５】
本発明によれば、部品点数を増加させずに冷陰極管の点灯性を向上させることにより、点灯遅れや不点灯といった不都合がない照明装置を、装置サイズの大型化やコスト増を招くことなく提供できる。また、この照明装置を用いることにより、電源投入後すみやかに明るい画像が表示される液晶表示装置を提供できる。
【発明を実施するための最良の形態】
【００１６】
以下、図面を参照しながら、本発明にかかる照明装置およびそれを備えた液晶表示装置の具体的な実施形態について説明する。
【００１７】
［第１の実施形態］
図１および図２は、本発明の第１の実施形態にかかる液晶表示装置３０の概略構成を示す斜視図である。図３は、液晶表示装置３０の概略構成を示す分解斜視図である。図４は、液晶表示装置３０の概略構成を示す断面図である。
【００１８】
液晶表示装置３０は、液晶パネル２０と、液晶パネル２０の背面に設けられるバックライト１０とを備えている。バックライト１０は、液晶表示装置３０において液晶パネル２０の背面から面状光を照射する面状光源であり、図３に示すように、例えばアクリル樹脂等の透光性材料で形成された導光板１（導光体）を備えている。なお、本実施形態では、図３において、くさび状の導光板１を備えた構成例を示したが、導光板１の厚みは均一であっても良い。
【００１９】
図２および図３から分かるように、導光板１の長辺側の側面のうち面積が広い方の側面に、２本の冷陰極管２ａ，２ｂが配置されている。すなわち、本実施形態にかかるバックライト１０は、導光板の一側面に光源を配置した、いわゆるエッジライト型のバックライトである。導光板１の長辺側の側面のうち面積が広い方の側面から、冷陰極管２ａ，２ｂからの出射光が導光板１へ入射し、導光板１の内部で全反射を繰り返しながら伝搬することにより、導光板１の主面（出射面）から液晶パネル２０へ面状光が出射される。
【００２０】
なお、冷陰極管２ａ，２ｂは、樹脂等によって形成されたランプホルダ３により保持されており、このランプホルダ３は、図２に示すように、冷陰極管２ａ，２ｂの軸方向に平行な方向にスライドさせて引き出せるように設けられている。つまり、本実施形態のバックライト１０は、ランプホルダ３が引き出せることにより、冷陰極管２ａ，２ｂの寿命が尽きた場合等に、これらを新品に交換することが可能である。ただし、本発明にかかる照明装置は、冷陰極管が交換可能であることを必須条件とするものではない。
【００２１】
冷陰極管２ａ，２ｂは、ガラス管の両端に電極（図示せず）を有し、ガラス管内に不活性ガスと微量の水銀が封入されている。ガラス管の内面には蛍光体が塗布されている。冷陰極管２ａ，２ｂの電極は、ランプ駆動用インバータ（図示せず）に接続されている。始動時は、ランプ駆動用インバータから電極に高電圧が印加されることにより、電極から飛び出した初期電子が水銀を励起して紫外線を放出する。これにより、管内部に塗布された蛍光体が発光して点灯する。
【００２２】
図４に示すように、本実施形態の液晶表示装置３０は、図の上側が視認側（表示面側）として設置される液晶パネル２０を有し、液晶パネル２０の非表示面側（図の下側）に、バックライト１０が配置されている。
【００２３】
液晶パネル２０は、液晶層（図示せず）を狭持する一対の透明基板２１，２２と、透明基板２１，２２の各外側表面に設けられた偏光板２３，２４とを備えている。液晶パネル２０には、液晶パネル２０を駆動するためのドライバや駆動回路が設けられているが、図４においては図示を省略している。なお、液晶パネル２０の液晶モードや駆動方式は任意である。
【００２４】
この液晶表示装置３０において、冷陰極管２ａ，２ｂは、導光板１の光入射面である側面１ａに対向するように、ランプホルダ３の支持具材（図示せず）によって支持されている。ランプホルダ３の内壁には、冷陰極管２ａ，２ｂの出射光の利用率を向上させるために、金属箔または金属蒸着膜等からなるリフレクタ４が設けられている。
【００２５】
バックライト１０は、合成樹脂または金属によって形成されたケース３２およびフレーム３３によって保持されている。そして、バックライト１０と液晶パネル２０は、フレーム３３の上方に液晶パネル２０が設置された状態で、断面Ｌ字状のベゼル３４によって狭持されている。これにより、バックライト１０は、液晶パネル２０に組み付けられて、バックライト１０からの照明光が液晶パネル２０に入射される透過型の液晶表示装置３０が構成されている。
【００２６】
バックライト１０では、導光板１において液晶パネル２０への光が出射する出射面１ｂに光学シート６が配置されている。光学シート６には、例えば合成樹脂フィルムにて構成された拡散シートが含まれている。この拡散シートは、バックライト１０から液晶パネル２０への照明光を適度に拡散することにより、液晶パネル２０の表示品位の向上に寄与する。また、光学シート６には、液晶パネル２０の表示品位の向上を図るためのプリズムシートや偏光シートなどの公知の光学シート材が、必要に応じて適宜積層されている。なお、上記の構成以外に、例えば液晶パネル２０の上方（表示面側）に液晶パネル２０の視野角を調整するための拡散シートなどの光学部材が適宜積層されていてもよい。また、導光板１において出射面に対向する面１ｃには、反射シート５が配置されている。なお、図４において、３５は、裏フレームであり、バックライト１０の構成部材を保持している。
【００２７】
図４に示すように、バックライト１０においては、冷陰極管２ｂのガラス管の内径が、冷陰極管２ａのガラス管の内径よりも大きい。なお、冷陰極管２ｂの内径が、冷陰極管２ａの内径よりも０．２ｍｍ以上大きいことが好ましい。冷陰極管２ａ，２ｂの内径差が０．２ｍｍ以上であれば、点灯性の向上効果が認められるからである。また、冷陰極管２ａと冷陰極管２ｂとの間隔は、冷陰極管同士の接触を防ぎつつ、冷陰極管２ａ，２ｂの収納部分の容積を小さくするために、およそ０．５ｍｍ〜５ｍｍの範囲であることが好ましい。
【００２８】
冷陰極管は、ランプ内径が大きいほど、点灯開始に必要な電圧が低い。従って、冷陰極管２ｂは、冷陰極管２ａよりも低い電圧で点灯する。例えば、ランプ内径が２．０ｍｍの場合１３００Ｖｒｍｓ、ランプ内径が１．８ｍｍの場合１４００Ｖｒｍｓである。冷陰極管２ｂが点灯すると、冷陰極管２ｂから与えられる光エネルギーにより、冷陰極管２ａの放電空間内で初期電子が放出され易くなるので、冷陰極管２ａの点灯性が向上する。つまり、ランプ内径が大きい冷陰極管２ｂが先に点灯することにより、冷陰極管２ａが、単独で始動される場合よりも低い電圧でも確実に点灯可能となる。
【００２９】
なお、以上の説明では、冷陰極管２ａ，２ｂを２本備えた構成を例示したが、図５に示すように、３本の冷陰極管２ｃ，２ｄ，２ｅを備えた構成としても良い。図５の例では、３本の冷陰極管２ｃ，２ｄ，２ｅのうち、冷陰極管２ｄのガラス管の内径が、他の２本の冷陰極管２ｃ，２ｅのガラス管の内径よりも大きい。これにより、点灯開始時には、まず冷陰極管２ｄが点灯し、その後、冷陰極管２ｃ，２ｅが点灯する。
【００３０】
なお、図５では、導光板１の光入射面（側面１ａ）に最も遠い位置に配置された冷陰極管２ｄのガラス管の内径が他の２本の冷陰極管２ｃ，２ｅのガラス管の内径よりも大きい構成例を示した。しかし、これに限らず、冷陰極管２ｃのガラス管の内径を、冷陰極管２ｄ，２ｅのガラス管の内径よりも大きくしても良いし、冷陰極管２ｅのガラス管の内径を、冷陰極管２ｃ，２ｄのガラス管の内径よりも大きくしても、同様の効果が得られる。
【００３１】
なお、点灯性を向上する観点からは、冷陰極管２ｃ，２ｄ，２ｅのうちいずれか２本のランプのガラス管内径が、他の１本のランプのガラス管内径よりも大きい構成であっても良い。しかし、冷陰極管は、ガラス管内径が小さいほど発光効率が高い。従って、複数の冷陰極管のうちいずれか１本のみを他の冷陰極管よりも内径が大きいランプとし、かつ、前記他の冷陰極管の内径はできるだけ小さくすることが、点灯性と発光効率とを両立させる上では最も好ましい。
【００３２】
また、３本の冷陰極管のガラス管の内径が全て異なる構成であっても良い。この場合は、内径が最も大きい冷陰極管が最も早く点灯することにより、他の２本の冷陰極管の点灯性が向上する効果が得られる。さらに、４本以上の冷陰極管を備えた構成であっても、それらの冷陰極管のうち少なくとも１本のランプのガラス管内径を、他のランプのガラス管内径よりも大きくすることにより、上述と同様に、点灯性向上効果が得られる。
【００３３】
以上のとおり、本実施形態によれば、複数の冷陰極管のうち少なくとも１本のランプのガラス管内径を、他の冷陰極管のガラス管内径よりも大きくすることにより、冷陰極管の点灯性を向上させ、点灯遅れや不点灯といった問題が生じないバックライトを提供することができる。また、このバックライトを用いることにより、電源投入後すみやかに明るい画像が表示される液晶表示装置を実現することができる。
【００３４】
なお、本発明の実施形態は上述した具体的構成のみに限定されず、発明の範囲内で種々の変更が可能である。例えば、この実施形態では、導光板の一辺のみに沿って冷陰極管を備えた構成を例示した。しかし、導光板の二辺以上に沿って、それぞれの辺に対して複数本ずつ冷陰極管を備えた構成としても良い。また、直管タイプの冷陰極管を備えた構成を例示したが、Ｌ字状またはＵ字状の冷陰極管を用いる場合も、上述のように、複数本の冷陰極管のうち少なくとも１本の内径を他の冷陰極管の内径よりも大きくすることにより、点灯性を向上させることができる。
【００３５】
［第２の実施形態］
図６は、本発明の照明装置の他の実施形態にかかるバックライト４０およびこれを備えた液晶表示装置６０の構成を示す概略断面図である。
【００３６】
図６に示すように、本実施形態の液晶表示装置６０は、図の上側が視認側（表示面側）として設置される液晶パネル５０と、液晶パネル５０の非表示面側（図の下側）に配置され、液晶パネル５０を照明するバックライト４０とを有する。
【００３７】
液晶パネル５０は、液晶層５４と、液晶層５４を狭持する一対の透明基板５５，５６と、透明基板５５，５６の各外側表面上にそれぞれ設けられた偏光板５７，５８とを備えている。また、液晶パネル５０には、液晶パネル５０を駆動するためのドライバ５９と、フレキシブルプリント基板５１を介してドライバ５９に接続された駆動回路５３が設けられている。液晶パネル５０の液晶モードや駆動方式は任意である。
【００３８】
バックライト４０には、液晶パネル５０側が開口した有底状のケース４４と、ケース４４の液晶パネル５０側に設置された枠状のフレーム４３とが設けられている。ケース４４およびフレーム４３は、金属または合成樹脂によって構成されており、フレーム４３の上方に液晶パネル５０が設置された状態で、断面Ｌ字状のベゼル６４によって狭持されている。これにより、バックライト４０は、液晶パネル５０に組み付けられて、バックライト４０からの照明光が液晶パネル５０に入射される透過型の液晶表示装置６０が構成されている。
【００３９】
また、バックライト４０は、ケース４４の開口部を覆うように設置された拡散板４５と、拡散板４５の上方で液晶パネル５０側に設置された光学シート４７と、ケース４４の内面に設けられた反射シート４１とを備えている。また、ケース４４の内部には、反射シート４１の上方に、複数の冷陰極管４２ａ、４２ｂ、４２ｃ、４２ｄ、４２ｅ、４２ｆ、４２ｇ、４２ｈが互いに平行に配列されている。冷陰極管４２ａ〜４２ｈのそれぞれは、その長手方向に直交する方向に等間隔に配列されている。なお、図６では、８本の冷陰極管を備えたバックライトを例示しているが、冷陰極管の本数は任意である。
【００４０】
拡散板４５は、例えば厚さ２ｍｍ程度の長方形状の合成樹脂またはガラス材を用いて構成されており、冷陰極管４２ａ〜４２ｈからの光（反射シート４１で反射された光を含む。）を拡散して、光学シート４７側に出射する。また、拡散板４５は、その四辺側がケース４４の上側に設けられた枠状の表面上に載置されており、弾性変形可能な押圧部材４６を介在させてケース４４の当該表面とフレーム４３の内面とで狭持された状態で、バックライト４０の内部に組み込まれている。
【００４１】
光学シート４７には、例えば合成樹脂フィルムにて構成された拡散シートが含まれている。この拡散シートは、バックライト４０から液晶パネル５０への照明光を適度に拡散することにより、液晶パネル５０の表示品位の向上に寄与する。また、光学シート４７には、液晶パネル５０の表示品位の向上を図るためのプリズムシートや偏光シートなどの公知の光学シート材が、必要に応じて適宜積層されている。なお、上記の構成以外に、例えば液晶パネル５０の上方（表示面側）に液晶パネル５０の視野角を調整するための拡散シートなどの光学部材が適宜積層されていてもよい。
【００４２】
反射シート４１は、例えばアルミニウムや銀などの光反射率の高い金属薄膜により構成されており、冷陰極管４２ａ〜４２ｈの光を拡散板４５に向かって反射する反射板として機能するようになっている。これにより、バックライト４０では、冷陰極管４２ａ〜４２ｈからの出射光を拡散板４５側に効率よく反射し、光の利用効率を向上させることができる。なお、上記金属薄膜に代えて、合成樹脂製の反射シート材を使用したり、例えばケース４４の内面に光反射率の高い白色等の塗料を塗布したりすることによっても、当該内面を反射板として機能させることができる。
【００４３】
冷陰極管４２ａ〜４２ｈとしては、直管タイプのランプが用いられており、その両端部に設けられた電極部（図示せず）がケース４４の外側にて支持されている。冷陰極管４２ａ〜４２ｈは、その長手方向が重力の作用方向と直交するように配置されている。これにより、冷陰極管４２ａ〜４２ｈの内部に封入された水銀（蒸気）が重力の作用によりガラス管端部（電極部）に集まるのが防止され、ランプ寿命が大幅に向上されている。
【００４４】
図６の例では、冷陰極管４２ａ〜４２ｈのうち中央付近に位置する冷陰極管４２ｄとして、他の７本の冷陰極管４２ａ〜４２ｃ，４２ｅ〜４２ｈよりもガラス管内径が大きいランプが用いられている。ただし、ガラス管内径が大きいランプの配置位置は、必ずしも複数の冷陰極管の中央付近でなくても良い。
【００４５】
また、第１の実施形態でも説明したとおり、複数の冷陰極管のうち、少なくとも１本を、他の冷陰極管のガラス管内径よりも大きな内径を有するランプを用いれば、点灯性向上の効果が得られる。しかし、点灯性と発光効率とを両立させるためには、複数の冷陰極管のうちいずれか１本のみを、他の冷陰極管よりもガラス管内径が大きいランプとし、その他の冷陰極管としてはガラス管内径ができるだけ小さいランプを用いることが好ましい。
【００４６】
以上のとおり、本実施形態によれば、複数の冷陰極管のうち少なくとも１本のランプのガラス管内径を、他の冷陰極管のガラス管内径よりも大きくすることにより、冷陰極管の点灯性を向上させ、点灯遅れや不点灯といった問題が生じないバックライトを提供することができる。また、このバックライトを用いることにより、電源投入後すみやかに明るい画像が表示される液晶表示装置を実現することができる。
【産業上の利用可能性】
【００４７】
本発明は、部品点数を増やすことなく、点灯性が向上された照明装置およびそれを用いた液晶表示装置として利用可能である。
【図面の簡単な説明】
【００４８】
【図１】図１は、本発明の第１の実施形態にかかる液晶表示装置の概略構成を示す斜視図である。
【図２】図２は、本発明の第１の実施形態にかかる液晶表示装置の概略構成を示す斜視図である。
【図３】図３は、本発明の第１の実施形態にかかる液晶表示装置の概略構成を示す分解斜視図である。
【図４】図４は、本発明の第１の実施形態にかかる液晶表示装置の概略構成を示す断面図である。
【図５】図５は、本発明の第１の実施形態にかかる液晶表示装置の変形例の概略構成を示す断面図である。
【図６】図６は、本発明の第２の実施形態にかかる液晶表示装置の概略構成を示す断面図である。
【符号の説明】
【００４９】
１      導光板
２ａ〜２ｅ      冷陰極管
３      ランプホルダ
４      リフレクタ
５      反射シート
６      光学シート
１０    バックライト
２０    液晶パネル
２１，２２  透明基板
２３，２４  偏光板
３０    液晶表示装置
３２    ケース
３３    フレーム
３４    ベゼル
３５    裏フレーム
４０    バックライト
４１    反射シート
４２ａ〜４２ｈ    冷陰極管
４３    フレーム
４４    ケース
４５    拡散板
４７    光学シート
５０    液晶パネル
５１    フレキシブルプリント基板
５３    駆動回路
５４    液晶層
５５，５６    透明基板
５７，５８    偏光板
５９    ドライバ
６０    液晶表示装置
６４    ベゼル
【図１】
2008021557.tif 000003
【図２】
2008021557.tif 000004
【図３】
2008021557.tif 000005
【図４】
2008021557.tif 000006
【図５】
2008021557.tif 000007
【図６】
2008021557.tif 000008